(57)【要約】  本出願の実施形態に係るＣＳＩ情報を報告および受信するための方法および通信装置を開示し、ＮＲシステムにおける端末のために、ＣＳＩ情報をアップリンクチャネルにマッピングして送信する解決策を提供する。当該方法は、端末は、基地局によって送信されたアップリンクチャネルリソース構成シグナリングおよび/またはＤＭＲＳ構成シグナリングを受信し、マッピングシンボル集合を決定するステップと、端末は、ダウンリンクチャネルを測定し、チャネル状態情報（ＣＳＩ）を計算し、ＣＳＩ情報をエンコードし、ランクインデックス（ＲＩ）情報を含む情報部分を、マッピングシンボル集合内の少なくとも１つのＯＦＤＭシンボルに対応するＲＥにマッピングして送信するステップとを備え、ここで、ＤＭＲＳ構成シグナリングはシステムによりアップリンクチャネルに対して構成したＤＭＲＳの数および占有されるＯＦＤＭシンボルの時間・周波数位置を示すために使用され、アップリンクチャネルリソース構成シグナリングは、アップリンクチャネルの時間・周波数リソースを示し、マッピングシンボル集合は、ＯＦＤＭシンボルに隣接するＯＦＤＭシンボルの集合である。
2020533882.tif 000002
【特許請求の範囲】
【請求項１】
端末は、基地局によって送信されたアップリンクチャネルリソース構成シグナリングおよび/または復調基準信号（ＤＭＲＳ）構成シグナリングを受信し、前記アップリンクチャネルリソース構成シグナリングおよび/またはＤＭＲＳ構成シグナリングに従って、マッピングシンボル集合を決定し、
前記端末は、ダウンリンクチャネルを測定し、測定結果に従ってチャネル状態情報（ＣＳＩ）を計算するステップと、
前記端末は、前記ＣＳＩ情報をエンコードし、エンコードされたＣＳＩ情報にランクインデックス（ＲＩ）情報を含む情報部分を、前記マッピングシンボル集合内の少なくとも１つのＯＦＤＭシンボルに対応するリソース要素（ＲＥ）にマッピングして送信するステップとを備え、
前記ＤＭＲＳ構成シグナリングは、システムによりアップリンクチャネルに対して構成したＤＭＲＳの数、および前記アップリンクチャネル搬送用の時間・周波数リソース内の各ＤＭＲＳによって占有される直交周波数分割多重ＯＦＤＭシンボルの時間・周波数位置を示すために使用され、前記アップリンクチャネルリソース構成シグナリングは、アップリンクチャネルによって占有される時間・周波数リソースを示すために使用され、前記マッピングシンボル集合は、前記時間・周波数リソース内の前記ＯＦＤＭシンボルに隣接するＯＦＤＭシンボルの集合であることを特徴とするＣＳＩ情報報告方法。
【請求項２】
前記端末が、前記ＣＳＩ情報をエンコードし、エンコードされたＣＳＩ情報にランクインデックス（ＲＩ）情報を含む情報部分を前記マッピングシンボル集合内の少なくとも１つのＯＦＤＭシンボルに対応するＲＥにマッピングして送信した後、さらに、
前記端末は、前記マッピングシンボル集合にマッピングされていない残りのＯＦＤＭシンボルと、ＲＩ情報を含む情報部分以外のエンコードされたＣＳＩ情報の残りのＣＳＩ情報部分が存在すると決定し、
前記端末は、前記残りのＣＳＩ情報部分を前記残りのＯＦＤＭシンボルに対応するＲＥにマッピングして送信し、および/または、前記時間・周波数リソース内の前記マッピングシンボル集合に含まれるＯＦＤＭシンボル以外の他のＯＦＤＭシンボルに対応するＲＥにマッピングして送信することを特徴とする請求項１に記載のＣＳＩ情報報告方法。
【請求項３】
前記端末が、前記ＣＳＩ情報をエンコードし、エンコードされたＣＳＩ情報にランクインデックス（ＲＩ）情報を含む情報部分を前記マッピングシンボル集合内の少なくとも１つのＯＦＤＭシンボルに対応するＲＥにマッピングして送信した後、さらに、
前記端末は、ＲＩ情報を含む情報部分以外のエンコードされたＣＳＩ情報の残りのＣＳＩ情報部分を決定し、
前記端末は、前記残りのＣＳＩ情報部分を、前記時間・周波数リソース内の前記マッピングシンボル集合に含まれるＯＦＤＭシンボル以外の他のＯＦＤＭシンボルに対応するＲＥにマッピングして送信することを特徴とする請求項１に記載のＣＳＩ情報報告方法。
【請求項４】
前記端末が前記ＣＳＩ情報をエンコードする前に、さらに、
前記端末は、前記基地局によって送信されたＣＳＩフィードバック構成情報を取得し、前記ＣＳＩフィードバック構成情報は、システムによって構成された、前記端末による前記ＣＳＩ情報の報告に使用されるフィードバックモードを示し、
前記端末は、前記ＣＳＩフィードバック構成情報、およびフィードバックモードとアップリンクチャネル間の対応関係に従って、前記ＣＳＩ情報によって使用されるアップリンクチャネルを決定し、
前記端末は、前記ＣＳＩ情報をエンコードする場合、
前記端末決定されたフィードバックモード、およびフィードバックモードとエンコードモード間の対応関係に従って、前記ＣＳＩ情報をエンコードし、前記エンコードモードは、全体エンコードモードおよび分割エンコードモードを含むことを特徴とする請求項１から請求項３のいずれか一項に記載のＣＳＩ情報報告方法。
【請求項５】
前記基地局は、端末にアップリンクチャネルリソース構成シグナリングおよび/または復調基準信号（ＤＭＲＳ）構成シグナリングを送信するステップと、
前記基地局は、前記端末によってフィードバックされた、エンコードされたチャネル状態情報ＣＳＩを受信し、前記エンコードされたＣＳＩ情報に含まれるランクインデックス（ＲＩ）情報を取得するステップと、
前記基地局は、前記ＲＩ情報に従って前記エンコードされたＣＳＩ情報をデコードするステップとを備え、
前記ＤＭＲＳ構成シグナリングは、システムによりアップリンクチャネルに対して構成したＤＭＲＳの数、および前記アップリンクチャネル搬送用の時間・周波数リソース内の各ＤＭＲＳによって占有される直交周波数分割多重ＯＦＤＭシンボルの時間・周波数位置を示すために使用され、前記アップリンクチャネルリソース構成シグナリングは、アップリンクチャネルによって占有される時間・周波数リソースを示すために使用され、
前記エンコードされたＣＳＩ情報内のＲＩ情報を含む情報部分は、マッピングシンボル集合内の少なくとも１つのＯＦＤＭシンボルに対応するＲＥにマッピングされ、前記マッピングシンボル集合は、前記アップリンクチャネル搬送用の時間・周波数リソース内の、前記ＤＭＲＳに占有されるＯＦＤＭシンボルに隣接するＯＦＤＭシンボルの集合であることを特徴とするＣＳＩ情報を受信するための方法。
【請求項６】
前記基地局が、前記端末によってフィードバックされた、エンコードされたチャネル状態情報ＣＳＩを受信し、前記エンコードされたＣＳＩ情報に含まれるランクインデックス（ＲＩ）情報を取得する前に、さらに、
前記基地局は、前記端末にＣＳＩ情報を報告するように指示するのに使用されるフィードバックモードのＣＳＩフィードバック構成情報を構成し、
前記端末に、前記ＣＳＩフィードバック構成情報に従ってエンコードされたＣＳＩ情報をフィードバックするように、前記基地局は、前記ＣＳＩフィードバック構成情報を前記端末に送信することを特徴とする請求項５に記載のＣＳＩ情報を受信するための方法。
【請求項７】
基地局によって送信されたアップリンクチャネルリソース構成シグナリングおよび/または復調基準信号（ＤＭＲＳ）構成シグナリングを受信し、前記アップリンクチャネルリソース構成シグナリングおよび/または前記ＤＭＲＳ構成シグナリングに従ってマッピングシンボル集合を決定するように構成された受信機と、
受信機と接続し、ダウンリンクチャネルを測定し、測定結果に従ってチャネル状態情報（ＣＳＩ）を計算し、及前記ＣＳＩ情報をエンコードし、エンコードされたＣＳＩ情報にランクインデックス（ＲＩ）情報を含む情報部分を、前記マッピングシンボル集合内の少なくとも１つのＯＦＤＭシンボルに対応するリソース要素（ＲＥ）にマッピングするように構成されたプロセッサと、
プロセッサと接続し、マッピングされたＣＳＩ情報を報告するように構成された送信機とを備え、
前記ＤＭＲＳ構成シグナリングは、システムによりアップリンクチャネルに対して構成したＤＭＲＳの数、および前記アップリンクチャネル搬送用の時間・周波数リソース内の各ＤＭＲＳによって占有される直交周波数分割多重ＯＦＤＭシンボルの時間・周波数位置を示すために使用され、前記アップリンクチャネルリソース構成シグナリングは、アップリンクチャネルによって占有される時間・周波数リソースを示すために使用され、前記マッピングシンボル集合は、前記時間・周波数リソース内の前記ＯＦＤＭシンボルに隣接するＯＦＤＭシンボルの集合であることを特徴とする端末。
【請求項８】
前記プロセッサはさらに、
前記ＣＳＩ情報をエンコードし、エンコードされたＣＳＩ情報にランクインデックス（ＲＩ）情報を含む情報部分を前記マッピングシンボル集合内の少なくとも１つのＯＦＤＭシンボルに対応するＲＥにマッピングして送信した後に、前記マッピングシンボル集合にマッピングされていない残りのＯＦＤＭシンボルと、ＲＩ情報を含む情報部分以外のエンコードされたＣＳＩ情報の残りのＣＳＩ情報部分が存在すると決定し、前記残りのＣＳＩ情報部分を、前記残りのＯＦＤＭシンボルに対応するＲＥにマッピングして送信し、および/または、前記時間・周波数リソース内の前記マッピングシンボル集合に含まれるＯＦＤＭシンボル以外の他のＯＦＤＭシンボルに対応するＲＥにマッピングすることを特徴とする請求項７に記載の端末。
【請求項９】
前記プロセッサはさらに、
前記ＣＳＩ情報をエンコードし、エンコードされたＣＳＩ情報にランクインデックス（ＲＩ）情報を含む情報部分を前記マッピングシンボル集合内の少なくとも１つのＯＦＤＭシンボルに対応するＲＥにマッピングして送信した後に、ＲＩ情報を含む情報部分以外のエンコードされたＣＳＩ情報の残りのＣＳＩ情報部分を決定し、前記残りのＣＳＩ情報部分を、前記時間・周波数リソース内の前記マッピングシンボル集合に含まれるＯＦＤＭシンボル以外の他のＯＦＤＭシンボルに対応するＲＥにマッピングして送信することを特徴とする請求項７に記載の端末。
【請求項１０】
前記受信機はさらに、
前記プロセッサが前記ＣＳＩ情報をエンコードする前に、前記基地局によって送信されたＣＳＩフィードバック構成情報を取得し、前記ＣＳＩフィードバック構成情報は、システムによって構成された、前記端末による前記ＣＳＩ情報の報告に使用されるフィードバックモードを示し、前記ＣＳＩフィードバック構成情報、およびフィードバックモードとアップリンクチャネル間の対応関係に従って、前記ＣＳＩ情報によって使用されるアップリンクチャネルを決定し、
前記プロセッサはさらに、決定されたフィードバックモード、およびフィードバックモードとエンコードモード間の対応関係に従って、前記ＣＳＩ情報をエンコードし、前記エンコードモードは、全体エンコードモードおよび分割エンコードモードを含むことを特徴とする請求項７から請求項９のいずれか一項に記載の端末。
【請求項１１】
端末にアップリンクチャネルリソース構成シグナリングおよび/または復調基準信号（ＤＭＲＳ）構成シグナリングを送信するように構成された送信機と、
前記端末によってフィードバックされた、エンコードされたチャネル状態情報ＣＳＩを受信し、前記エンコードされたＣＳＩ情報に含まれるランクインデックス（ＲＩ）情報を取得するように構成された受信機と、
前記受信機と送信機と接続され、前記ＲＩ情報に従って前記エンコードされたＣＳＩ情報をデコードするように構成されたプロセッサとを備え、
前記ＤＭＲＳ構成シグナリングは、システムによりアップリンクチャネルに対して構成したＤＭＲＳの数、および前記アップリンクチャネル搬送用の時間・周波数リソース内の各ＤＭＲＳによって占有される直交周波数分割多重ＯＦＤＭシンボルの時間・周波数位置を示すために使用され、前記アップリンクチャネルリソース構成シグナリングは、アップリンクチャネルによって占有される時間・周波数リソースを示すために使用され、
前記エンコードされたＣＳＩ情報内のＲＩ情報を含む情報部分は、マッピングシンボル集合内の少なくとも１つのＯＦＤＭシンボルに対応するＲＥにマッピングされ、前記マッピングシンボル集合は、前記アップリンクチャネル搬送用の時間・周波数リソース内の、前記ＤＭＲＳに占有されるＯＦＤＭシンボルに隣接するＯＦＤＭシンボルの集合であることを特徴とする基地局。
【請求項１２】
前記プロセッサはさらに、
前記受信機が前記端末によってフィードバックされた、エンコードされたチャネル状態情報ＣＳＩを受信し、前記エンコードされたＣＳＩ情報に含まれるランクインデックス（ＲＩ）情報を取得する前に、前記端末にＣＳＩ情報を報告するように指示するのに使用されるフィードバックモードのＣＳＩフィードバック構成情報を構成し、
前記端末に、前記ＣＳＩフィードバック構成情報に従ってエンコードされたＣＳＩ情報をフィードバックするように、前記基地局は、前記ＣＳＩフィードバック構成情報を前記端末に送信することを特徴とする請求項１１に記載の基地局。
【請求項１３】
基地局によって送信されたアップリンクチャネルリソース構成シグナリングおよび/または復調基準信号（ＤＭＲＳ）構成シグナリングを受信し、前記アップリンクチャネルリソース構成シグナリングおよび/または前記ＤＭＲＳ構成シグナリングに従って対応のマッピングシンボル集合を決定するように構成された受信モジュールと、
ダウンリンクチャネルを測定し、測定結果に従ってチャネル状態情報（ＣＳＩ）を計算するように構成された測定モジュールと、
前記ＣＳＩ情報をエンコードし、エンコードされたＣＳＩ情報にランクインデックス（ＲＩ）情報を含む情報部分を、前記マッピングシンボル集合内の少なくとも１つのＯＦＤＭシンボルに対応するリソース要素（ＲＥ）にマッピングして送信するように構成された処理モジュールとを備え、
前記ＤＭＲＳ構成シグナリングは、システムによりアップリンクチャネルに対して構成したＤＭＲＳの数、および前記アップリンクチャネル搬送用の時間・周波数リソース内の各ＤＭＲＳによって占有される直交周波数分割多重ＯＦＤＭシンボルの時間・周波数位置を示すために使用され、前記アップリンクチャネルリソース構成シグナリングは、アップリンクチャネルによって占有される時間・周波数リソースを示すために使用され、前記マッピングシンボル集合は、前記時間・周波数リソース内の前記ＯＦＤＭシンボルに隣接するＯＦＤＭシンボルの集合であることを特徴とする端末。
【請求項１４】
端末にアップリンクチャネルリソース構成シグナリングおよび/または復調基準信号（ＤＭＲＳ）構成シグナリングを送信するように構成された送信モジュールと、
前記端末によってフィードバックされた、エンコードされたチャネル状態情報ＣＳＩを受信し、前記エンコードされたＣＳＩ情報に含まれるランクインデックス（ＲＩ）情報を取得するように構成された受信モジュールと、
前記エンコードされたＣＳＩ情報をデコードするように構成された処理モジュールとを備え、
前記ＤＭＲＳ構成シグナリングは、システムによりアップリンクチャネルに対して構成したＤＭＲＳの数、および前記アップリンクチャネル搬送用の時間・周波数リソース内の各ＤＭＲＳによって占有される直交周波数分割多重ＯＦＤＭシンボルの時間・周波数位置を示すために使用され、前記アップリンクチャネルリソース構成シグナリングは、アップリンクチャネルによって占有される時間・周波数リソースを示すために使用され、
前記エンコードされたＣＳＩ情報内のＲＩ情報を含む情報部分は、マッピングシンボル集合内の少なくとも１つのＯＦＤＭシンボルに対応するＲＥにマッピングされ、前記マッピングシンボル集合は、前記アップリンクチャネル搬送用の時間・周波数リソース内の、前記ＤＭＲＳに占有されるＯＦＤＭシンボルに隣接するＯＦＤＭシンボルの集合であることを特徴とする基地局。
【請求項１５】
メモリに格納されたコンピュータプログラムを実行するときに、請求項１から請求項６のいずれか一項に記載の方法を実施するように構成されたプロセッサを含むことを特徴とするコンピュータ装置。
【請求項１６】
コンピュータで実行されるときに、コンピュータに請求項１から請求項６のいずれか一項に記載の方法を実行させるコンピュータ命令を格納することを特徴とするコンピュータ可読記憶媒体。
【発明の詳細な説明】
【技術分野】
【０００１】
関連出願の相互参照
本出願は、２０１７年９月８日に中国特許局に提出し、出願番号が２０１７１０８０７３５６.Ｘであり、発明名称が「ＣＳＩ情報を報告および受信するための方法および通信装置」との中国特許出願を基礎とする優先権を主張し、その開示の総てをここに取り込む。
【０００２】
本出願は、通信技術の分野に関し、特に、ＣＳＩ情報を報告および受信するための方法および通信装置に関する。
【背景技術】
【０００３】
ＭＩＭＯ（Ｍｕｌｔｉ−Ｉｎｐｕｔ Ｍｕｌｔｉｐｌｅ−Ｏｕｔｐｕｔ）技術は、伝送品質および効率を改善するための重要な物理層マルチアンテナ技術として、新世代の通信システムにおいて重要な役割を果たす。新しい無線アクセス技術（Ｎｅｗ ＲＡＴ（ｒａｄｉｏ ａｃｃｅｓｓ ｔｅｃｈｎｏｌｏｇｙ，ＮＲ）システムまたはＬＴＥ（Ｌｏｎｇ Ｔｅｒｍ Ｅｖｏｌｕｔｉｏｎ）システムは、送信ダイバーシティ、空間多重化技術、ビーム形成（ＢＦ，Ｂｅａｍ Ｆｏｒｍｉｎｇ）およびその他のＭＩＭＯ技術をサポートする。
【０００４】
ＭＩＭＯ技術の利点をより有効に利用するために、システムのパイロット構成もそれに応じて変更された。一般に、基地局によって送信されるダウンリンクパイロットには、復調パイロット（つまり、復調基準信号（Ｄｅｍｏｄｕｌａｔｉｏｎ Ｒｅｆｅｒｅｎｃｅ Ｓｉｇｎａｌ，ＤＭＲＳ））と測定パイロット（つまり、チャネル状態指示基準信号（Ｃｈａｎｎｅｌ Ｓｔａｔｅ Ｉｎｄｉｃａｔｉｏｎ Ｒｅｆｅｒｅｎｃｅ Ｓｉｇｎａｌ，ＣＳＩ−ＲＳ））が含まれる。
【発明の概要】
【発明が解決しようとする課題】
【０００５】
現在、ＭＩＭＯシステムでは、ダウンリンクチャネルを測定した後、端末は、チャネル状態情報（Ｃｈａｎｎｅｌ Ｓｔａｔｅ Ｉｎｆｏｒｍａｔｉｏｎ，ＣＳＩ）を計算し、次いで、端末がＣＳＩ情報をアップリンクチャネル、たとえば物理アップリンク制御チャネル（ＰＵＣＣＨ）またはレポート用の物理アップリンク共有チャネル（Ｐｈｙｓｉｃａｌ Ｕｐｌｉｎｋ Ｓｈａｒｅｄ Ｃｈａｎｎｅｌ，ＰＵＳＣＨ）を介して報告する。しかしながら、ＮＲシステムでＣＳＩ情報をアップリンクチャネルにマッピングして送信する方法に関する対応する解決策はまた案出されていない。
【０００６】
本出願の実施形態は、ＮＲシステムにおいて、端末がＣＳＩ情報をアップリンクチャネルにマッピングして送信する方法に関する対応する解決策はまた存在しない技術問題点を解決するために、ＣＳＩ情報を報告および受信するための方法および通信装置を提供する。
【課題を解決するための手段】
【０００７】
第１の態様では、本出願の実施形態に係るＣＳＩ情報を報告するための方法は、
端末は、基地局によって送信されたアップリンクチャネルリソース構成シグナリングおよび/または復調基準信号（ＤＭＲＳ）構成シグナリングを受信し、前記アップリンクチャネルリソース構成シグナリングおよび/または前記ＤＭＲＳ構成シグナリングに従ってマッピングシンボル集合を決定するステップと
前記端末は、ダウンリンクチャネルを測定し、測定結果に従ってチャネル状態情報（ＣＳＩ）を計算するステップと、
前記端末は、前記ＣＳＩ情報をエンコードし、エンコードされたＣＳＩ情報にランクインデックス（ＲＩ）情報を含む情報部分を、前記マッピングシンボル集合内の少なくとも１つのＯＦＤＭシンボルに対応するリソース要素（ＲＥ）にマッピングして送信するステップとを備え、
前記ＤＭＲＳ構成シグナリングは、システムによりアップリンクチャネルに対して構成したＤＭＲＳの数、および前記アップリンクチャネル搬送用の時間・周波数リソース内の各ＤＭＲＳによって占有される直交周波数分割多重ＯＦＤＭシンボルの時間・周波数位置を示すために使用され、前記アップリンクチャネルリソース構成シグナリングは、アップリンクチャネルによって占有される時間・周波数リソースを示すために使用され、前記マッピングシンボル集合は、前記時間・周波数リソース内の前記ＯＦＤＭシンボルに隣接するＯＦＤＭシンボルの集合である。
【０００８】
可能な実施形態では、前記端末が、前記ＣＳＩ情報をエンコードし、エンコードされたＣＳＩ情報にランクインデックス（ＲＩ）情報を含む情報部分を前記マッピングシンボル集合内の少なくとも１つのＯＦＤＭシンボルに対応するＲＥにマッピングして送信した後、さらに、
前記端末は、前記マッピングシンボル集合にマッピングされていない残りのＯＦＤＭシンボルと、ＲＩ情報を含む情報部分以外のエンコードされたＣＳＩ情報の残りのＣＳＩ情報部分が存在すると決定し、
前記端末は、前記残りのＣＳＩ情報部分を前記残りのＯＦＤＭシンボルに対応するＲＥにマッピングして送信し、および/または、前記時間・周波数リソース内の前記マッピングシンボル集合に含まれるＯＦＤＭシンボル以外のたのＯＦＤＭシンボルに対応するＲＥにマッピングして送信する。
【０００９】
可能な実施形態では、前記端末が、前記ＣＳＩ情報をエンコードし、エンコードされたＣＳＩ情報にランクインデックス（ＲＩ）情報を含む情報部分を前記マッピングシンボル集合内の少なくとも１つのＯＦＤＭシンボルに対応するＲＥにマッピングして送信した後、さらに、
前記端末は、ＲＩ情報を含む情報部分以外のエンコードされたＣＳＩ情報の残りのＣＳＩ情報部分を決定し、
前記端末は、前記残りのＣＳＩ情報部分を、前記時間・周波数リソース内の前記マッピングシンボル集合に含まれるＯＦＤＭシンボル以外の他のＯＦＤＭシンボルに対応するＲＥにマッピングして送信する。
【００１０】
可能な実施形態では、前記端末が前記ＣＳＩ情報をエンコードする前に、さらに、
前記端末は、前記基地局によって送信されたＣＳＩフィードバック構成情報を取得し、前記ＣＳＩフィードバック構成情報は、システムによって構成された、前記端末による前記ＣＳＩ情報の報告に使用されるフィードバックモードを示し、
前記端末は、前記ＣＳＩフィードバック構成情報、およびフィードバックモードとアップリンクチャネル間の対応関係に従って、前記ＣＳＩ情報によって使用されるアップリンクチャネルを決定し、
前記端末は、前記ＣＳＩ情報をエンコードする場合、
前記端末決定されたフィードバックモード、およびフィードバックモードとエンコードモード間の対応関係に従って、前記ＣＳＩ情報をエンコードし、前記エンコードモードは、全体エンコードモードおよび分割エンコードモードを含む。
【００１１】
第２の態様では、本出願の実施形態に係るＣＳＩ情報を受信するための方法は、
前記基地局は、端末にアップリンクチャネルリソース構成シグナリングおよび/または復調基準信号（ＤＭＲＳ）構成シグナリングを送信するステップと、
前記基地局は、前記端末によってフィードバックされた、エンコードされたチャネル状態情報ＣＳＩを受信し、前記エンコードされたＣＳＩ情報に含まれるランクインデックス（ＲＩ）情報を取得するステップと、
前記基地局は、前記ＲＩ情報に従って前記エンコードされたＣＳＩ情報をデコードするステップとを備え、
前記ＤＭＲＳ構成シグナリングは、システムによりアップリンクチャネルに対して構成したＤＭＲＳの数、および前記アップリンクチャネル搬送用の時間・周波数リソース内の各ＤＭＲＳによって占有される直交周波数分割多重ＯＦＤＭシンボルの時間・周波数位置を示すために使用され、前記アップリンクチャネルリソース構成シグナリングは、アップリンクチャネルによって占有される時間・周波数リソースを示すために使用され、
前記エンコードされたＣＳＩ情報内のＲＩ情報を含む情報部分は、マッピングシンボル集合内の少なくとも１つのＯＦＤＭシンボルに対応するＲＥにマッピングされ、前記マッピングシンボル集合は、前記アップリンクチャネル搬送用の時間・周波数リソース内の、前記ＤＭＲＳに占有されるＯＦＤＭシンボルに隣接するＯＦＤＭシンボルの集合である。
【００１２】
可能な実施形態では、前記基地局が、前記端末によってフィードバックされた、エンコードされたチャネル状態情報ＣＳＩを受信し、前記エンコードされたＣＳＩ情報に含まれるランクインデックス（ＲＩ）情報を取得する前に、さらに、
前記基地局は、前記端末にＣＳＩ情報を報告するように指示するのに使用されるフィードバックモードのＣＳＩフィードバック構成情報を構成し、
前記端末に、前記ＣＳＩフィードバック構成情報に従ってエンコードされたＣＳＩ情報をフィードバックするように、前記基地局は、前記ＣＳＩフィードバック構成情報を前記端末に送信する。
【００１３】
第３の態様では、本出願の実施形態に係る端末は、
基地局によって送信されたアップリンクチャネルリソース構成シグナリングおよび/または復調基準信号（ＤＭＲＳ）構成シグナリングを受信し、前記アップリンクチャネルリソース構成シグナリングおよび/または前記ＤＭＲＳ構成シグナリングに従ってマッピングシンボル集合を決定するように構成された受信機と、
受信機と接続し、ダウンリンクチャネルを測定し、測定結果に従ってチャネル状態情報（ＣＳＩ）を計算し、及前記ＣＳＩ情報をエンコードし、エンコードされたＣＳＩ情報にランクインデックス（ＲＩ）情報を含む情報部分を、前記マッピングシンボル集合内の少なくとも１つのＯＦＤＭシンボルに対応するリソース要素（ＲＥ）にマッピングするように構成されたプロセッサと、
プロセッサと接続し、マッピングされたＣＳＩ情報を報告するように構成された送信機とを備え、
前記ＤＭＲＳ構成シグナリングは、システムによりアップリンクチャネルに対して構成したＤＭＲＳの数、および前記アップリンクチャネル搬送用の時間・周波数リソース内の各ＤＭＲＳによって占有される直交周波数分割多重ＯＦＤＭシンボルの時間・周波数位置を示すために使用され、前記アップリンクチャネルリソース構成シグナリングは、アップリンクチャネルによって占有される時間・周波数リソースを示すために使用され、前記マッピングシンボル集合は、前記時間・周波数リソース内の前記ＯＦＤＭシンボルに隣接するＯＦＤＭシンボルの集合である。
【００１４】
可能な実施形態では、前記プロセッサはさらに、
前記ＣＳＩ情報をエンコードし、エンコードされたＣＳＩ情報にランクインデックス（ＲＩ）情報を含む情報部分を前記マッピングシンボル集合内の少なくとも１つのＯＦＤＭシンボルに対応するＲＥにマッピングして送信した後に、前記マッピングシンボル集合にマッピングされていない残りのＯＦＤＭシンボルと、ＲＩ情報を含む情報部分以外のエンコードされたＣＳＩ情報の残りのＣＳＩ情報部分が存在すると決定し、前記残りのＣＳＩ情報部分を、前記残りのＯＦＤＭシンボルに対応するＲＥにマッピングして送信し、および/または、前記時間・周波数リソース内の前記マッピングシンボル集合に含まれるＯＦＤＭシンボル以外の他のＯＦＤＭシンボルに対応するＲＥにマッピングする。
【００１５】
可能な実施形態では、前記プロセッサはさらに、
前記ＣＳＩ情報をエンコードし、エンコードされたＣＳＩ情報にランクインデックス（ＲＩ）情報を含む情報部分を前記マッピングシンボル集合内の少なくとも１つのＯＦＤＭシンボルに対応するＲＥにマッピングして送信した後に、ＲＩ情報を含む情報部分以外のエンコードされたＣＳＩ情報の残りのＣＳＩ情報部分を決定し、前記残りのＣＳＩ情報部分を、前記時間・周波数リソース内の前記マッピングシンボル集合に含まれるＯＦＤＭシンボル以外の他のＯＦＤＭシンボルに対応するＲＥにマッピングして送信する。
【００１６】
可能な実施形態では、前記受信機はさらに、
前記プロセッサが前記ＣＳＩ情報をエンコードする前に、前記基地局によって送信されたＣＳＩフィードバック構成情報を取得し、前記ＣＳＩフィードバック構成情報は、システムによって構成された、前記端末による前記ＣＳＩ情報の報告に使用されるフィードバックモードを示し、前記ＣＳＩフィードバック構成情報、およびフィードバックモードとアップリンクチャネル間の対応関係に従って、前記ＣＳＩ情報によって使用されるアップリンクチャネルを決定し、
前記プロセッサはさらに、決定されたフィードバックモード、およびフィードバックモードとエンコードモード間の対応関係に従って、前記ＣＳＩ情報をエンコードし、前記エンコードモードは、全体エンコードモードおよび分割エンコードモードを含む。
【００１７】
第４の態様では、本出願の実施形態に係る基地局は、
端末にアップリンクチャネルリソース構成シグナリングおよび/または復調基準信号（ＤＭＲＳ）構成シグナリングを送信するように構成された送信機と、
前記端末によってフィードバックされた、エンコードされたチャネル状態情報ＣＳＩを受信し、前記エンコードされたＣＳＩ情報に含まれるランクインデックス（ＲＩ）情報を取得するように構成された受信機と、
前記受信機と送信機と接続され、前記ＲＩ情報に従って前記エンコードされたＣＳＩ情報をデコードするように構成されたプロセッサとを備え、
前記ＤＭＲＳ構成シグナリングは、システムによりアップリンクチャネルに対して構成したＤＭＲＳの数、および前記アップリンクチャネル搬送用の時間・周波数リソース内の各ＤＭＲＳによって占有される直交周波数分割多重ＯＦＤＭシンボルの時間・周波数位置を示すために使用され、前記アップリンクチャネルリソース構成シグナリングは、アップリンクチャネルによって占有される時間・周波数リソースを示すために使用され、
前記エンコードされたＣＳＩ情報内のＲＩ情報を含む情報部分は、マッピングシンボル集合内の少なくとも１つのＯＦＤＭシンボルに対応するＲＥにマッピングされ、前記マッピングシンボル集合は、前記アップリンクチャネル搬送用の時間・周波数リソース内の、前記ＤＭＲＳに占有されるＯＦＤＭシンボルに隣接するＯＦＤＭシンボルの集合である。
【００１８】
可能な実施形態では、前記プロセッサはさらに、
前記受信機が前記端末によってフィードバックされた、エンコードされたチャネル状態情報ＣＳＩを受信し、前記エンコードされたＣＳＩ情報に含まれるランクインデックス（ＲＩ）情報を取得する前に、前記端末にＣＳＩ情報を報告するように指示するのに使用されるフィードバックモードのＣＳＩフィードバック構成情報を構成し、
前記端末に、前記ＣＳＩフィードバック構成情報に従ってエンコードされたＣＳＩ情報をフィードバックするように、前記基地局は、前記ＣＳＩフィードバック構成情報を前記端末に送信する。
【００１９】
第５の態様では、本出願の実施形態に係る端末は、
基地局によって送信されたアップリンクチャネルリソース構成シグナリングおよび/または復調基準信号（ＤＭＲＳ）構成シグナリングを受信し、前記アップリンクチャネルリソース構成シグナリングおよび/または前記ＤＭＲＳ構成シグナリングに従って対応のマッピングシンボル集合を決定するように構成された受信モジュールと、ダウンリンクチャネルを測定し、測定結果に従ってチャネル状態情報（ＣＳＩ）を計算するように構成された測定モジュールと、
前記ＣＳＩ情報をエンコードし、エンコードされたＣＳＩ情報にランクインデックス（ＲＩ）情報を含む情報部分を、前記マッピングシンボル集合内の少なくとも１つのＯＦＤＭシンボルに対応するリソース要素（ＲＥ）にマッピングして送信するように構成された処理モジュールとを備え、
前記ＤＭＲＳ構成シグナリングは、システムによりアップリンクチャネルに対して構成したＤＭＲＳの数、および前記アップリンクチャネル搬送用の時間・周波数リソース内の各ＤＭＲＳによって占有される直交周波数分割多重ＯＦＤＭシンボルの時間・周波数位置を示すために使用され、前記アップリンクチャネルリソース構成シグナリングは、アップリンクチャネルによって占有される時間・周波数リソースを示すために使用され、前記マッピングシンボル集合は、前記時間・周波数リソース内の前記ＯＦＤＭシンボルに隣接するＯＦＤＭシンボルの集合である。
【００２０】
第６の態様では、本出願の実施形態に係る基地局は、
端末にアップリンクチャネルリソース構成シグナリングおよび/または復調基準信号（ＤＭＲＳ）構成シグナリングを送信するように構成された送信モジュールと、
前記端末によってフィードバックされた、エンコードされたチャネル状態情報ＣＳＩを受信し、前記エンコードされたＣＳＩ情報に含まれるランクインデックス（ＲＩ）情報を取得するように構成された受信モジュールと、
前記エンコードされたＣＳＩ情報をデコードするように構成された処理モジュールとを備え、
前記ＤＭＲＳ構成シグナリングは、システムによりアップリンクチャネルに対して構成したＤＭＲＳの数、および前記アップリンクチャネル搬送用の時間・周波数リソース内の各ＤＭＲＳによって占有される直交周波数分割多重ＯＦＤＭシンボルの時間・周波数位置を示すために使用され、前記アップリンクチャネルリソース構成シグナリングは、アップリンクチャネルによって占有される時間・周波数リソースを示すために使用され、
前記エンコードされたＣＳＩ情報内のＲＩ情報を含む情報部分は、マッピングシンボル集合内の少なくとも１つのＯＦＤＭシンボルに対応するＲＥにマッピングされ、前記マッピングシンボル集合は、前記アップリンクチャネル搬送用の時間・周波数リソース内の、前記ＤＭＲＳに占有されるＯＦＤＭシンボルに隣接するＯＦＤＭシンボルの集合である。
【００２１】
第７の態様では、本出願の実施形態は、メモリに格納されたコンピュータプログラムを実行するときに、第１の態様および第２の態様に係る前記方法を実施するように構成されたプロセッサを含むことを特徴とするコンピュータ装置を提供する。
【００２２】
第８の態様では、本出願の実施形態は、コンピュータで実行されるときに、コンピュータに第１の態様および第２の態様に係る前記方法を実行させるコンピュータ命令を格納することを特徴とするコンピュータ可読記憶媒体を、提供する。
【発明の効果】
【００２３】
本出願の実施形態において、端末は、基地局によって送信されたＤＭＲＳ構成シグナリングに従って対応するマッピングシンボル集合を決定ししたがって、端末がＣＳＩ情報を報告する場合、エンコードされたＣＳＩ情報内の、ＲＩ情報を含む情報部分を優先的に、マッピングシンボル集合内の少なくとも１つのＯＦＤＭシンボルにマッピングして送信し得る。これにより、RＩ情報の送信成功率を改善し、基地局が端末によって報告されたＲＩ情報に従って受信されたエンコードされたＣＳＩ情報をデコードすることが便利となり、デコードの精度を向上する。
【図面の簡単な説明】
【００２４】
【図１】従来の、ＮＲシステムにおけるＰＵＣＣＨチャネル上のＤＭＲＳ構成の概略図である。
【図２】従来の、ＮＲシステムにおけるＰＵＳＣＨチャネル上のＤＭＲＳ構成の概略図である。
【図３】本出願の実施形態におけるＣＳＩ情報報告方法のフローチャートである。
【図４Ａ】本出願の実施形態におけるＰＵＳＣＨチャネル上のマッピングシンボル集合の概略図である。
【図４Ｂ】本出願の実施形態におけるＰＵＳＣＨチャネル上のマッピングシンボル集合の概略図である。
【図４Ｃ】本出願の実施形態におけるＰＵＳＣＨチャネル上のマッピングシンボル集合の概略図である。
【図５Ａ】本出願の実施形態におけるＰＵＣＣＨチャネル上のマッピングシンボル集合の概略図である。
【図５Ｂ】本出願の実施形態におけるＰＵＣＣＨチャネル上のマッピングシンボル集合の概略図である。
【図５Ｃ】本出願の実施形態におけるＰＵＣＣＨチャネル上のマッピングシンボル集合の概略図である。
【図６】本出願の実施形態におけるＣＳＩ情報を受信するための方法のフローチャートである。
【図７】本出願の実施形態における端末構成の概略図である。
【図８】本出願の実施形態における基地局構成の概略図である。
【図９】本出願の実施形態における端末のモジュールの概略図である。
【図１０】本出願の実施形態における基地局のモジュールの概略図である。
【図１１】本出願の実施形態におけるコンピュータ装置構成の概略図である。
【発明を実施するための形態】
【００２５】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の一部の実施例にすぎず、全部の実施例ではないのが明らかである。本発明の実施例に基づき、当業者は、創造性作業を行わない限りに得られた他の実施例は、全部本発明の保護範囲に属する。
【００２６】
本明細書で説明される技術的解決策は、第５世代移動通信技術（５Ｇ）システムで使用されてもよく、また、次世代移動通信システムで使用されてもよい。
【００２７】
最初に、当業者の理解を容易にするために、本願の実施形態におけるいくつかの用語を説明する。
【００２８】
（１）基地局は、エアインターフェースを介して１つ以上のセクタを介して端末と通信するアクセスネットワーク内のデバイスを指し得る。たとえば、基地局は、ＬＴＥ（Ｌｏｎｇ Ｔｅｒｍ Ｅｖｏｌｕｔｉｏｎ）システムまたはＬＴＥ−Ａ（ＬＴＥ−Ａｄｖａｎｃｅｄ）システムに進化型ノードＢ（ＮｏｄｅＢまたはｅＮＢまたはｅ−ＮｏｄｅＢ）を含めるか、５Ｇシステム内の次世代ノードＢ（ｎｅｘｔ ｇｅｎｅｒａｔｉｏｎ ｎｏｄｅ Ｂ，ｇＮＢ）を含むこともできる。本出願の実施形態における基地局は、主に５Ｇシステムの基地局を指す。
【００２９】
（２）端末は、無線通信機能を有する装置であってもよい。端末は、基地局によって送信されたダウンリンクデータ（例えば、ＣＳＩ−ＲＳ）を受信し、アップリンクチャネルを通じて対応するデータ（例えば、CＳＩ）を報告することができる。端末は、ＲＡＮ（ｒａｄｉｏ Ａｃｃｅｓｓ Ｎｅｔｗｏｒｋ）を介してコアネットワークと通信できる。端末には、ユーザ機器（Ｕｓｅｒ Ｅｑｕｉｐｍｅｎｔ，ＵＥ）、ワイヤレス端末デバイス、モバイル端末デバイス、加入者ユニット（Ｓｕｂｓｃｒｉｂｅｒ Ｕｎｉｔ）、加入者局（Ｓｕｂｓｃｒｉｂｅｒ Ｓｔａｔｉｏｎ）、モバイル局（Ｍｏｂｉｌｅ Ｓｔａｔｉｏｎ）、モバイル（Ｍｏｂｉｌｅ）、リモート局（Ｒｅｍｏｔｅ Ｓｔａｔｉｏｎ）、アクセスポイント（Ａｃｃｅｓｓ Ｔｅｒｍｉｎａｌ）、リモート端末（Ｒｅｍｏｔｅ Ｔｅｒｍｉｎａｌ）、アクセス端末（Ａｃｃｅｓｓ Ｔｅｒｍｉｎａｌ）、ユーザ端末（Ｕｓｅｒ Ｔｅｒｍｉｎａｌ）、ユーザエージェント（Ｕｓｅｒ Ａｇｅｎｔ）、または、ユーザーデバイスなどを含むことができる。たとえば、携帯電話（または「セルラー電話」と呼ばれる）、モバイル端末デバイスを備えたコンピュータ、ポータブル、ポケット、ハンドヘルド、コンピュータ内蔵または車両搭載のモバイルデバイス、スマートウェアラブルデバイスなどを含むことがある。たとえば、パーソナルコミュニケーションサービス（Ｐｅｒｓｏｎａｌ Ｃｏｍｍｕｎｉｃａｔｉｏｎ Ｓｅｒｖｉｃｅ，ＰＣＳ）電話、コードレス電話、セッション開始プロトコル（ＳＩＰ）電話、ワイヤレスローカルループ（Ｗｉｒｅｌｅｓｓ Ｌｏｃａｌ Ｌｏｏｐ，ＷＬＬ）ステーション、パーソナルデジタルアシスタント（Ｐｅｒｓｏｎａｌ Ｄｉｇｉｔａｌ Ａｓｓｉｓｔａｎｔ，ＰＤＡ）、スマートウォッチ、スマートヘルメット、スマートグラス、スマートブレスレット、その他のデバイスを含むこともある。また、バーコード、無線周波数識別（ＲＦＩＤ）センサー、全地球測位システム（ＧＰＳ）、レーザースキャナーおよびその他の情報検出デバイスなどの、限られたデバイス（低消費電力のデバイス、限られたストレージ機能のデバイス、または限られたコンピューティング機能のデバイスなど）も含むことができる。
【００３０】
（３）端末は、アップリンクチャネルを使用して、データを基地局に送信し、例えば、ＣＳＩ情報などを報告する。本出願の実施形態では、アップリンクチャネルは、ＰＵＣＣＨチャネルまたはＰＵＳＣＨチャネルを指し得る。
【００３１】
次に、ＮＲシステムにおけるアップリンクチャネルの一般的な構成を説明する。
【００３２】
１. PUCCHチャネル
短ＰＵＣＣＨ（ｓｈｏｒｔ ＰＵＣＣＨ）チャネルおよび長ＰＵＣＣＨ（ｌｏｎｇ ＰＵＣＣＨ）チャネルはＮＲシステムで定義され、短ＰＵＣＣＨチャネルは１〜２個のＯＦＤＭシンボルを含む。ＣＳＩ情報が送信されるとき、ＤＭＲＳは各ＯＦＤＭシンボル上に構成され、すなわち、１つのＤＭＲＳは、ＰＵＣＣＨにより占有される時間周波数リソース内の各ＯＦＤＭシンボル上に構成され得る。長ＰＵＣＣＨチャネルは４〜１４個のＯＦＤＭシンボルを含み、長ＰＵＣＣＨチャネルは、ＯＦＤＭシンボルの数に従って、周波数ホッピングと非周波数ホッピングの２つの構成に分割され得る。
【００３３】
非周波数ホッピングＰＵＣＣＨは、図１の（ａ）に示されるように、２つのＤＭＲＳシンボルを含む。周波数ホッピングＰＵＣＣＨの場合、各周波数ホッピング部分は、図１の（ｂ）に示すように、各周波数ホッピング部のＯＦＤＭシンボルの数に応じて１つのＤＭＲＳシンボルを含むことができる。または、図１の（ｃ）に示すように、各周波数ホッピング部分は、２つのＤＭＲＳシンボルをさらに含むこともできる。
【００３４】
２．ＰＵＳＣＨチャネル
システムは、図２に示されるように、ユーザの移動速度および他のアプリケーションシナリオに従って、フロントローディングＤＭＲＳ（ｆｒｏｎｔ−ｌｏａｄｅｄ ＤＭＲＳ）に加えて、追加のＤＭＲＳの１つまたは２つのグループをさらに追加し得る。
【００３５】
上記の技術的解決策をよりよく理解するために、上記の技術的解決策を、明細書の図面および特定の実施形態と組み合わせて以下に詳細に説明する。
【００３６】
第１の実施形態
本出願の実施形態は、端末が基地局とのデータ送信を実行できるようにするために、端末に適用可能なＣＳＩ情報を報告するための方法を提供する。図３に示すように、この方法は次のように説明できる。
【００３７】
Ｓ１１：端末は、基地局によって送信されたアップリンクチャネルリソース構成シグナリングおよび/またはＤＭＲＳ構成シグナリングを受信し、アップリンクチャネルリソース構成シグナリングおよび/またはＤＭＲＳ構成シグナリングに従って、マッピングシンボル集合を決定し、ここで、ＤＭＲＳ構成シグナリングは、システムによりアップリンクチャネルに対して構成したＤＭＲＳの数、およびアップリンクチャネルの搬送用の時間・周波数リソースにおける、ＤＭＲＳそれぞれに占有される直交周波数分割多重ＯＦＤＭシンボルの時間・周波数位置を示し、アップリンクチャネルリソース構成シグナリングは、アップリンクチャネルによって占有される時間・周波数リソースを示すために使用され、マッピングシンボル集合は、時間・周波数リソース内のＯＦＤＭシンボルに隣接するＯＦＤＭシンボルの集合である。
【００３８】
具体的には、端末は、基地局によって送信されたアップリンクチャネルリソース構成シグナリングおよび/またはＤＭＲＳ構成シグナリングを受信した後に、アップリンクチャネルのシステムのＤＭＲＳ構成を決定し、例えば、ＰＵＣＣＨチャネル（またはＰＵＳＣＨチャネル）内のＤＭＲＳの数を決定し、また、ＰＵＣＣＨチャネルの搬送用の時間・周波数リソースにおける、ＤＭＲＳそれぞれに占有されるＯＦＤＭシンボルの位置を決定する。
【００３９】
ここで、アップリンクチャネルリソース構成シグナリングは、ＰＵＳＣＨリソース構成シグナリングまたはＰＵＣＣＨ構成シグナリングを指すことができ、次いで、ＰＵＳＣＨリソース構成シグナリングは、ＰＵＳＣＨチャネルによって占有される時間・周波数リソースを示すことができ、ＰＵＣＣＨ構成シグナリングは、ＰＵＣＣＨチャネルによって占有される時間・周波数リソースを示すことができる。
【００４０】
さらに、端末は、システムの事前定義に従って、時間・周波数リソース内のＤＭＲＳそれぞれに占有されるＯＦＤＭシンボルに隣接する片側または両側のＯＦＤＭシンボルをマッピングシンボルとして決定し、すべてのマッピングシンボルの集合は、マッピングシンボル集合である。たとえば、図４Ａ−４Ｃは、ＰＵＳＣＨチャネルのシステムの３種類のＤＭＲＳ構成、および各種類のＤＭＲＳ構成に対応するマッピングシンボル集合を示している。図４ＡはフロントローディングＤＭＲＳを示し、図４ＢはフロントローディングＤＭＲＳと追加のＤＭＲＳのグループを示し、図４ＣはフロントローディングＤＭＲＳと２つの追加のＤＭＲＳグループを示す。上記の各図には、１つの物理リソースブロック（Ｐｈｙｓｉｃａｌ Ｒｅｓｏｕｒｃｅ Ｂｌｏｃｋ，ＰＲＢ）が示されている。
【００４１】
Ｓ１２：端末は、ダウンリンクチャネルを測定し、測定結果に従ってチャネル状態情報（ＣＳＩ）を計算する。
【００４２】
本出願の実施形態において、端末は、ダウンリンクチャネルを測定し、すなわち、ＣＱＩ、ＰＭＩ、ランクインデックス（Ｒａｎｋ Ｉｎｄｅｘｅｓ，ＲＩ）およびダウンリンクチャネルの他の情報を測定し、その後、ＲＩ、ＰＭＩ、ＣＱＩおよびその他の情報を含む情ＣＳＩを取得することができる。
【００４３】
もちろん、実際の用途では、ＣＳＩ情報は、チャネル状態情報測定パイロット（Ｃｈａｎｎｅｌ Ｓｔａｔｅ Ｉｎｄｉｃａｔｉｏｎ Ｒｅｆｅｒｅｎｃｅ Ｓｉｇｎａｌ，ＣＳＩ−ＲＳ）のリソースインデックス情報ＣＲＩをさらに含むことができる。
【００４４】
本出願の実施形態において、端末は、基地局によって送信されたＣＳＩフィードバック構成情報をさらに取得することができ、当該ＣＳＩフィードバック構成情報は、基地局によって構成された、端末によるＣＳＩ情報の報告に使用されるフィードバックモードを示すことができる。たとえば、タイプＩコードブックまたはタイプＩＩコードブックを使用して、周期的、半永続的または非周期的なフィードバックを使用して、広帯域フィードバックまたはサブバンドフィードバックを使用して、ＣSＩ情報を報告するなど。
【００４５】
次いで、端末は、受信されたＣＳＩフィードバック構成情報、およびフィードバックモードとアップリンクチャネル間の対応関係に従って、このフィードバックにおいてＣＳＩ情報によって使用されるアップリンクチャネルを決定し得る。
【００４６】
Ｓ１３：端末は、ＣＳＩ情報をエンコードし、エンコードされたＣＳＩ情報内のＲＩ情報を含む情報部分を、マッピングシンボル集合内の少なくとも１つのＯＦＤＭシンボルのリソース要素（Ｒｅｓｏｕｒｃｅ Ｅｌｅｍｅｎｔ，ＲＥ）にマッピングして送信する。
【００４７】
このステップにおいて、端末は、決定されたフィードバックモード、およびフィードバックモードとエンコードモード間の対応関係に従って、ＣSＩ情報をエンコードすることができ、当該エンコードモードは、全体エンコードモードおよび分割エンコードモードを含む。つまり、構成されたＣSＩ情報のさまざまなフィードバックモードに従って、ＣSＩ情報全体をエンコードしてフィードバックするか、ＣSＩ情報を２つ以上の情報部分に分割してからそれぞれエンコードして、フィードバック送信する。
【００４８】
ＣＳＩ情報の共通のエンコードモードには、以下の場合が含まれるが、これらに限定されない。
【００４９】
第１の場合：ＰＵＣＣＨチャネル（主に、長ＰＵＣＣＨチャネル）のフィードバックのために、以下を含む２つのエンコードモードがある。
【００５０】
１．端末は、全体としてＣSＩ情報を共同でエンコードします。
【００５１】
２．端末は、ＣSＩ情報を独立したエンコードのために２つの情報部分に分割する。一方の情報部分はＲＩ / ＣＲＩの共同エンコード部分であり、他方の情報部分はＰＭＩ / ＣＱＩの共同エンコードである。
【００５２】
第２の場合：ＰＵＳＣＨ情報フィードバックのために、端末は、フィードバックされるコードブックのタイプに従って、対応するエンコードモードを決定してもよい：
【００５３】
１.タイプＩコードブック（すなわち、Ｔｙｐｅ Ｉコードブック）の場合、端末はＣＳＩ情報を２つの情報部分に分割してから、それぞれをｃエンコードする。１つの情報部分は、ＲＩ/ＣＲＩと第１のコードワードのＣＱＩとの共同エンコード部分であり、他の情報部分は、ＰＭＩと第２のコードワードのＣＱＩとの共同エンコードである。
【００５４】
２.タイプＩＩコードブック（すなわち、Ｔｙｐｅ ＩＩコードブック）の場合、端末はＣＳＩ情報を２つまたは３つの情報部分に分割し、各情報部分を個別にエンコードする。たとえば、端末がＣＳＩ情報を３つの情報部分に分割する場合、第１の情報部分は通常ＲＩ/ＣＱＩ共同エンコード部分であり、第２の情報部分は、広帯域振幅情報の共同エンコード部分であり、第３の情報部分はＰＭＩ共同エンコード部分である。
【００５５】
Ｓ１３において、端末は、ＣＳＩ情報のエンコードを完了した後、エンコードされたＣＳＩ情報をアップリンクチャネルの搬送用の時間・周波数リソースに含まれるＯＦＤＭシンボルにマッピングして、ＣＳＩ情報を基地局に報告する。
【００５６】
具体的には、端末は、エンコードされたＣＳＩ情報をアップリンクチャネルにマッピングして送信するとき、エンコードされたＣＳＩ情報内のＲＩ情報を含む情報部分を、マッピングシンボル集合内のＯＦＤＭシンボルに対応するＲＥに優先的にマッピングすることができ、以下、それぞれについて説明する。
【００５７】
第１の場合：端末が、今回の報告において、完全なＣＳＩ情報が全体として一緒にエンコードされる共同エンコードモードを採用する。
【００５８】
端末は、共同エンコードされたＣＳＩ情報をマッピングシンボル集合内の１つ、複数、またはすべてのＯＦＤＭシンボルに優先的にマッピングする。さらに、端末は、残りのマッピングされていないエンコードされたＣＳＩ情報を、アップリンクチャネルの残りのＯＦＤＭシンボルにマッピングする。
【００５９】
第２の場合：端末が、今回の報告において、完全なＣＳＩ情報を複数の情報部分に分かつして、各情報部分それぞれが個別にエンコードされるモードを採用する。
【００６０】
次いで、端末は、エンコードされたＣＳＩ情報内のＲＩ情報を含む情報部分をマッピングシンボル集合内の１つ、複数、またはすべてのＯＦＤＭシンボルに優先的にマッピングすることができる。
【００６１】
さらに、端末がマッピングシンボル集合に残りのリソース（ＲＥ）が残っていると判断すれば、すなわち、残りのＯＦＤＭシンボルに対応するＲＥが残っていると端末が判断した場合、端末は、エンコードされたＣＳＩ情報の他の情報部分を残りのリソースにマッピングして送信してもよい。および/または、時間・周波数リソース内の、マッピングシンボル集合に含まれるＯＦＤＭシンボル以外の他のＯＦＤＭシンボルに対応するＲＥにマッピングして送信する。
【００６２】
例えば、エンコードされたＣＳＩ情報にＲＩ情報を含む情報部分以外の他の情報部分は、マッピングシンボル集合の残りのリソースに優先的にマッピングされてもよい。他の情報部分が残りのＣＳＩ情報をさらに有する場合、残りのＣＳＩ情報は、アップリンクチャネルの残りのＯＦＤＭシンボルにさらにマッピングされ得る。あるいは、マッピングシンボル集合に残りのリソースがある場合、他のすべての情報部分は、アップリンクチャネルの搬送用の時間・周波数リソース内の、マッピングシンボル集合以外の残りのＯＦＤＭシンボルにマッピングされえる。たとえば、時間・周波数リソース内の、ＤＭＲＳに占有されるＯＦＤＭシンボルに隣接する他のＯＦＤＭにマッピングされえる。
【００６３】
したがって、本発明の実施形態では、端末は、ＣＳＩ情報内のＲＩ情報を、信頼性がより高いマッピングシンボル集合内のＯＦＤＭシンボルに対応するＲＥに優先的にマッピングすることにより、ＲＩ情報の送信成功率を効果的に改善できる。また、ＲＩ情報はユーザデータ送信中にストリームの数を示すために使用できるため、基地局によるＣＳＩ情報のデコードの精度の向上を促進する。
【００６４】
本出願の実施形態の応用シナリオを、特定の例により以下に説明する。
【００６５】
第１のシナリオ
端末は、受信されたＰＵＳＣＨリソース構成シグナリングおよびＤＭＲＳ構成シグナリングに従って、アップリンクチャネルにおけるＤＭＲＳの構成が図４Ｂに示されるような構成であることを決定すると想定される。すなわち、ＰＵＳＣＨチャネルにおいて、１つのフロントローディングＤＭＲＳ追加のＤＭＲＳのグループが構成され、基地局は、ＤＣＩシグナリングにより、非周期的なＴｙｐｅ ＩＩ ＣＳＩをフィードバックするように、端末をトリガーする。
【００６６】
まず、端末は、基地局によって送信されたＰＵＳＣＨリソース構成シグナリングおよびＤＭＲＳ構成シグナリングを受信した後にマッピングシンボル集合を決定することができる。図４Ｂを引き続き参照する。
【００６７】
次に、端末は、基地局のＣＳＩフィードバック構成情報に従って、今回のフィードバックモードが、ＰＵＳＣＨチャネル上で非周期的なタイプＩＩのＣＳＩフィードバックを実行することであると決定する。
【００６８】
さらに、端末は、ダウンリンクチャネルのチャネル測定結果に従って、ＲＩ／ＰＭＩ／ＣＱＩを含む完全なタイプＩＩのＣＳＩ情報を計算する。端末は、フィードバックモードに従って、この時点でＣＳＩ情報が３つの部分に分割されていると判断する。第１の部分はＲＩ / ＣＱＩを含み、この部分はエンコードされる。第２の部分には、ＰＭＩの広帯域振幅情報が含まれ、この部分はエンコードされる。第３の部分には、広帯域振幅情報を除く残りのＰＭＩ情報が含まれ、この部分はエンコードされる。
【００６９】
第１部分はＲＩ情報を含むので、端末は、エンコードされたＣＳＩ情報をマッピングする場合、エンコードされた第１の部分を、マッピングシンボル集合内のＯＦＤＭのＲＥに優先的にマッピングすることができる。図４Ｂのマッピングシンボル３（すなわち、３の番号が付けられた、ＯＦＤＭシンボルに対応するＲＥ、以下に現れる当該単語は同じ意味を持つ）およびマッピングシンボル１０にマッピングする。
【００７０】
第１の部分がマッピングシンボル集合にマッピングされるとき、周波数領域先時間領域後のマッピングモードも採用され得る、すなわち、まず、マッピングはＯＦＤＭシンボル３で実行され、このシンボルは完全に占有されているため、マッピングはＯＦＤＭシンボル１０のＲＥで引き続き実行される。または、時間領域先周波数領域後のマッピングモードも採用され得る、すなわち、サブキャリアの順序に従って、各サブキャリアが最初にＯＦＤＭシンボル３のＲＥにマッピングされ、次にＯＦＤＭシンボル１０のＲＥにマッピングされる。
【００７１】
さらに、端末は、エンコードされたＣＳＩ情報の第２の部分およびＣＳＩ情報の第３の部分をＯＦＤＭシンボル１２、シンボル１３、およびシンボル４〜９に順次マッピングすることができる。ここで最初にシンボル１２にマッピングするのは、それがＤＭＲＳシンボルの隣にあるためである。
【００７２】
ここで、端末がマッピングシンボル集合内のエンコードされた第１の部分のマッピングを完了した後、シンボル３またはシンボル１０に未使用のＲＥが残っている場合、リソースのこの部分は使用されなくてもよい。
【００７３】
最後に、端末は、ＰＵＳＣＨチャネルにマッピングされたＣＳＩ情報を報告する。
【００７４】
第２のシナリオ
システムは、長ＰＵＣＣＨ（ｌｏｎｇ ＰＵＣＣＨ）の各ＤＭＲＳ構成について図５Ａ〜５Ｃに示すように３つのタイプのＤＭＲＳ構成を事前定義すると仮定され、図は各ＤＭＲＳ構成に対応するマッピングシンボル集合を示し、図５Ａは、非周波数ホッピング構成を示し、図５Ｂは周波数ホッピング-周波数ホッピングごとの小さなシンボルの数を示し、図５Ｃは周波数ホッピング-周波数ホッピングごとの大きなシンボルの数を示す。
【００７５】
図４Ａ〜４Ｃとは異なり、ここでのＯＦＤＭシンボルは、１つのスロットのシンボルインデックスの代わりに、ＰＵＣＣＨ領域の最初から最後までのシンボルを表すためにのみ使用される、すなわち、番号付けの役割を果たすことに留意すべきである。
【００７６】
基地局が、受信されたＰＵＣＣＨ構成シグナリングに従って端末のために８個のＯＦＤＭシンボルの長ＰＵＣＣＨを構成すると決定する場合、周波数ホッピング方法が採用され、各周波数ホッピングに４つのＯＦＤＭシンボルが含まれ、図５Ｂに示すように、各周波数ホッピングに１つのＤＭＲＳシンボルが含まれる。そして、端末は、ＣＳＩフィードバック構成情報に従って、基地局によって端末に対して構成されたフィードバック周期的なタイプＩ ＣＳＩを決定する。
【００７７】
端末について、端末は、基地局によって送信されたＰＵＣＣＨ構成シグナリングを最初に受信し、マッピングシンボル集合を決定する（図５Ｂを引き続き参照してください）。
【００７８】
次に、端末は、基地局のＣＳＩフィードバック構成情報に従って、今回のフィードバックモードがサブバンド周期的なタイプＩのＣＳＩフィードバックであると判断し、システムによって事前定義されたフィードバックモードとアップリンクチャネル間の対応関係に従って長ＰＵＣＣＨチャネルでフィードバックが実行されると判断する。
【００７９】
さらに、端末は、チャネル測定を実行し、ＲＩ／ＣＲＩ／ＰＭＩ／ＣＱＩを含む完全なタイプＩのＣＳＩ情報を計算する。端末は、フィードバックモードに従ってＣＳＩ情報が２つの部分に分割されていると判断する。第１の部分には、ＲＩ/ＣＲＩと第１のコードワードのＣＱＩが含まれ、この部分がエンコードされる。第２の部分には、ＰＭＩと第２のコードワードのＣＱＩが含まれ、この部分はエンコードされる。
【００８０】
第１の部分はＲＩ情報を含むので、端末は、エンコードされた第１の部分を図５Ｂのマッピングシンボル１、３、５および７にマッピングしてもよい。リソースマッピングを実行するとき、端末は、周波数領域先時間領域後のマッピングモードを採用するか、時間領域先周波数領域後のマッピングモードを採用する場合がある。
【００８１】
エンコードされた第１の部分のマッピングが完了した後、マッピングシンボル１、３、５、または７に未使用のＲＥがまだ残っていると端末が判断すると仮定し、その後、ＣＳＩ情報のエンコードされた第２の部分はこれらの残りのＲＥにマッピングされ、ＣＳＩ情報のエンコードされた第２の部分の残りの部分は、シンボル４および８にマッピングされる。
【００８２】
最後に、端末は、ＰＵＣＣＨチャネル上にマッピングされたＣＳＩ情報を報告する。
【００８３】
第２の実施形態
図６に示されるように、本出願の実施形態に係るＣＳＩ情報を受信するための方法は、基地局に適用され、以下のステップを含む：
【００８４】
Ｓ２１：基地局は、端末にアップリンクチャネル構成シグナリングおよび/またはＤＭＲＳ構成シグナリングを送信する。ここで、ＤＭＲＳ構成シグナリングは、システムによりアップリンクチャネルに対して構成したＤＭＲＳの数、およびアップリンクチャネルの搬送用の時間・周波数リソースにおける、ＤＭＲＳそれぞれに占有される直交周波数分割多重ＯＦＤＭシンボルの時間・周波数位置を示し、アップリンクチャネルリソース構成シグナリングは、アップリンクチャネルによって占有される時間・周波数リソースを示す。
【００８５】
具体的には、アップリンクチャネル構成シグナリングおよび／またはＤＭＲＳ構成シグナリングは、ＰＵＳＣＨチャネル上で１つのフロントローディングＤＭＲＳおよび追加のＤＭＲＳのグループを構成するように端末に指示し、すなわち、図４Ｂに示す構成を示す。または、８つのＯＦＤＭシンボルの長ＰＵＣＣＨを構成し、各周波数ホッピングに４つのＯＦＤＭシンボルが含まれ、各周波数ホッピングに１つのＤＭＲＳシンボルのみが含まれる周波数ホッピングモードを採用するように端末に指示し、図５Ｂに示す構成を示す。
【００８６】
したがって、基地局は、アップリンクチャネル構成シグナリングおよび／またはＤＭＲＳ構成シグナリングをダウンリンクチャネルを通じて端末に送信し、その結果、端末は、基地局によって示されるアップリンクチャネルのＤＭＲＳ構成を把握してＣＳＩをフィードバックする。そして、受信したアップリンクチャネル構成シグナリングおよび/またはＤＭＲＳ構成シグナリングに従って、対応する動作を実行する（たとえば、端末にマッピングシンボル集合を決定させる）。
【００８７】
Ｓ２２：基地局は、端末によってフィードバックされた、エンコードされたＣＳＩ情報を受信し、エンコードされたＣＳＩ情報に含まれるＲＩ情報を取得する。ここで、エンコードされたＣＳＩ情報内のＲＩ情報を含む情報部分は、マッピングシンボル集合内の少なくとも１つのＯＦＤＭシンボルに対応するＲＥにマッピングされ、マッピングシンボル集合は、アップリンクチャネルの搬送用の時間・周波数リソース内の、ＤＭＲＳに占有されるＯＦＤＭシンボルに隣接するＯＦＤＭシンボルの集合である。
【００８８】
Ｓ２２の前に、基地局は、ＣＳＩ情報を報告するときに端末によって使用されるフィードバックモードを示すために使用されるＣＳＩフィードバック構成情報をさらに構成し、ＣＳＩフィードバック構成情報を端末に送信することができる。
【００８９】
Ｓ２３：基地局は、ＲＩ情報に従ってエンコードされたＣＳＩ情報をデコードする。
【００９０】
本出願の実施形態では、基地局によって受信されたＣＳＩ情報に含まれるＲＩ情報は、ユーザデータ送信中のストリームの数を示すために使用され得、これは、ＣＳＩのデコードの精度の向上を促進する。
【００９１】
第３の実施形態
同じ発明概念に基づいて、本出願の実施形態は、図３に示されるようなＣＳＩ情報を報告するための方法を実行するために使用できる端末を提供する。図７に示すように、当該端末は、受信機３１と、プロセッサ３３と、送信機３２とを備える。
【００９２】
実際の用途では、受信機３１と送信機３２は通常同じデバイス、例えば送受信機に配置されるので、これら２つのコンポーネントは例として図７の送受信機のコンポーネントである。
【００９３】
加えて、端末は、図７の点線で示されるメモリ３４をさらに備えることができる。メモリ３４は、例えばＣＳＩ情報などを格納するなど、端末の様々なデータを格納するために使用されてもよい。
【００９４】
受信機３１は、基地局によって送信されたアップリンクチャネルリソース構成シグナリングおよび/または復調基準信号（ＤＭＲＳ）構成シグナリングを受信し、前記アップリンクチャネルリソース構成シグナリングおよび/またはＤＭＲＳ構成シグナリングに従って、マッピングシンボル集合を決定し、前記ＤＭＲＳ構成シグナリングは、システムによりアップリンクチャネルに対して構成したＤＭＲＳの数、および前記アップリンクチャネル搬送用の時間・周波数リソース内の各ＤＭＲＳによって占有される直交周波数分割多重ＯＦＤＭシンボルの時間・周波数位置を示すために使用され、前記アップリンクチャネルリソース構成シグナリングは、アップリンクチャネルによって占有される時間・周波数リソースを示すために使用され、前記マッピングシンボル集合は、前記時間・周波数リソース内の前記ＯＦＤＭシンボルに隣接するＯＦＤＭシンボルの集合である。
【００９５】
プロセッサ３３は、受信機３１に接続され、ダウンリンクチャネルを測定し、測定結果に従ってチャネル状態情報（ＣＳＩ）を計算し、また、前記ＣＳＩ情報をエンコードし、エンコードされたＣＳＩ情報にランクインデックス（ＲＩ）情報を含む情報部分を、前記マッピングシンボル集合内の少なくとも１つのＯＦＤＭシンボルに対応するリソース要素（ＲＥ）にマッピングする。
【００９６】
送信機３２は、プロセッサ３３および受信機３１にそれぞれ接続され、マッピングされたＣＳＩ情報を報告する。
【００９７】
任意選択で、前記プロセッサ３３は、さらに、前記ＣＳＩ情報をエンコードし、エンコードされたＣＳＩ情報にランクインデックス（ＲＩ）情報を含む情報部分を前記マッピングシンボル集合内の少なくとも１つのＯＦＤＭシンボルに対応するＲＥにマッピングして送信した後に、前記マッピングシンボル集合にマッピングされていない残りのＯＦＤＭシンボルと、ＲＩ情報を含む情報部分以外のエンコードされたＣＳＩ情報の残りのＣＳＩ情報部分が存在すると決定し、前記残りのＣＳＩ情報部分を、前記残りのＯＦＤＭシンボルに対応するＲＥにマッピングして送信し、および/または、前記時間・周波数リソース内の前記マッピングシンボル集合に含まれるＯＦＤＭシンボル以外の他のＯＦＤＭシンボルに対応するＲＥにマッピングする。
【００９８】
任意選択で、前記プロセッサ３３はさらに、前記ＣＳＩ情報をエンコードし、エンコードされたＣＳＩ情報にランクインデックス（ＲＩ）情報を含む情報部分を前記マッピングシンボル集合内の少なくとも１つのＯＦＤＭシンボルに対応するＲＥにマッピングして送信した後に、ＲＩ情報を含む情報部分以外のエンコードされたＣＳＩ情報の残りのＣＳＩ情報部分を決定し、前記残りのＣＳＩ情報部分を、前記時間・周波数リソース内の前記マッピングシンボル集合に含まれるＯＦＤＭシンボル以外の他のＯＦＤＭシンボルに対応するＲＥにマッピングして送信する。
【００９９】
任意選択で、前記受信機３１はさらに、前記プロセッサが前記ＣＳＩ情報をエンコードする前に、前記基地局によって送信されたＣＳＩフィードバック構成情報を取得し、前記ＣＳＩフィードバック構成情報は、システムによって構成された、前記端末による前記ＣＳＩ情報の報告に使用されるフィードバックモードを示し、前記ＣＳＩフィードバック構成情報、およびフィードバックモードとアップリンクチャネル間の対応関係に従って、前記ＣＳＩ情報によって使用されるアップリンクチャネルを決定し、
前記プロセッサ３３はさらに、決定されたフィードバックモード、およびフィードバックモードとエンコードモード間の対応関係に従って、前記ＣＳＩ情報をエンコードし、前記エンコードモードは、全体エンコードモードおよび分割エンコードモードを含む。
【０１００】
第４の実施形態
図８に示されるように、同じ発明思想に基づいて、本出願の実施形態は、図６に示されるようなＣＳＩ情報を受信するための方法を実行するために使用できる基地局を提供する。基地局は、送信機４１、受信機４２、およびプロセッサ４３を備える。
【０１０１】
実際の用途では、受信機４２と送信機４１は通常同じデバイス、例えば送受信機に配置されるので、これら２つのコンポーネントは例として図８の送受信機のコンポーネントである。
【０１０２】
さらに、端末は、図８の点線で示されるメモリ４４をさらに備えることができる。メモリ４４は、例えば、ＤＭＲＳ構成または受信したＣＳＩ情報などを格納するなど、基地局の様々なデータを格納するために使用されてもよい。
【０１０３】
送信機４１は、端末にアップリンクチャネルリソース構成シグナリングおよび/または復調基準信号（ＤＭＲＳ）構成シグナリングを送信し、前記ＤＭＲＳ構成シグナリングは、システムによりアップリンクチャネルに対して構成したＤＭＲＳの数、および前記アップリンクチャネル搬送用の時間・周波数リソース内の各ＤＭＲＳによって占有される直交周波数分割多重ＯＦＤＭシンボルの時間・周波数位置を示すために使用され、前記アップリンクチャネルリソース構成シグナリングは、アップリンクチャネルによって占有される時間・周波数リソースを示すために使用される。
【０１０４】
受信機４２は、前記端末によってフィードバックされた、エンコードされたチャネル状態情報ＣＳＩを受信し、前記エンコードされたＣＳＩ情報に含まれるランクインデックス（ＲＩ）情報を取得し、前記エンコードされたＣＳＩ情報内のＲＩ情報を含む情報部分は、マッピングシンボル集合内の少なくとも１つのＯＦＤＭシンボルに対応するＲＥにマッピングされ、前記マッピングシンボル集合は、前記アップリンクチャネル搬送用の時間・周波数リソース内の、前記ＤＭＲＳに占有されるＯＦＤＭシンボルに隣接するＯＦＤＭシンボルの集合である。
【０１０５】
プロセッサ４３は、受信機４２および送信機４１に接続され、前記ＲＩ情報に従って前記エンコードされたＣＳＩ情報をデコードする。
【０１０６】
任意選択で、前記プロセッサ４３はさらに、
前記受信機４２が前記端末によってフィードバックされた、エンコードされたチャネル状態情報ＣＳＩを受信し、前記エンコードされたＣＳＩ情報に含まれるランクインデックス（ＲＩ）情報を取得する前に、前記端末にＣＳＩ情報を報告するように指示するのに使用されるフィードバックモードのＣＳＩフィードバック構成情報を構成する。
【０１０７】
前記送信機４１は、前記ＣＳＩフィードバック構成情報を端末に送信するようにさらに構成される。
【０１０８】
第５の実施形態
図９に示すように、本出願の一実施形態は、図３に示すＣＳＩ情報を報告する方法を実行するために使用できる端末を提供する。端末は、受信モジュール５１、測定モジュール５２、および処理モジュール５３を備える。
【０１０９】
受信モジュールは、基地局によって送信されたアップリンクチャネルリソース構成シグナリングおよび/または復調基準信号（ＤＭＲＳ）構成シグナリングを受信し、前記アップリンクチャネルリソース構成シグナリングおよび/または前記ＤＭＲＳ構成シグナリングに従って対応のマッピングシンボル集合を決定し、前記ＤＭＲＳ構成シグナリングは、システムによりアップリンクチャネルに対して構成したＤＭＲＳの数、および前記アップリンクチャネル搬送用の時間・周波数リソース内の各ＤＭＲＳによって占有される直交周波数分割多重ＯＦＤＭシンボルの時間・周波数位置を示すために使用され、前記マッピングシンボル集合は、前記時間・周波数リソース内の前記ＯＦＤＭシンボルに隣接するＯＦＤＭシンボルの集合である。
【０１１０】
測定モジュール５２は、ダウンリンクチャネルを測定し、測定結果に従ってチャネル状態情報（ＣＳＩ）を計算する。
【０１１１】
処理モジュール５３は、前記ＣＳＩ情報をエンコードし、エンコードされたＣＳＩ情報にランクインデックス（ＲＩ）情報を含む情報部分を、前記マッピングシンボル集合内の少なくとも１つのＯＦＤＭシンボルに対応するリソース要素（ＲＥ）にマッピングして送信する。
【０１１２】
任意選択で、前記処理モジュール５３はさらに、前記ＣＳＩ情報をエンコードし、エンコードされたＣＳＩ情報にランクインデックス（ＲＩ）情報を含む情報部分を前記マッピングシンボル集合内の少なくとも１つのＯＦＤＭシンボルに対応するＲＥにマッピングして送信した後に、前記マッピングシンボル集合にマッピングされていない残りのＯＦＤＭシンボルと、ＲＩ情報を含む情報部分以外のエンコードされたＣＳＩ情報の残りのＣＳＩ情報部分が存在すると決定し、
および、前記残りのＣＳＩ情報部分を前記残りのＯＦＤＭシンボルに対応するＲＥにマッピングして送信し、および/または、前記時間・周波数リソース内の前記マッピングシンボル集合に含まれるＯＦＤＭシンボル以外の他のＯＦＤＭシンボルに対応するＲＥにマッピングして送信する。
【０１１３】
任意選択で、前記処理モジュール５３はさらに、前記端末が、前記ＣＳＩ情報をエンコードし、エンコードされたＣＳＩ情報にランクインデックス（ＲＩ）情報を含む情報部分を前記マッピングシンボル集合内の少なくとも１つのＯＦＤＭシンボルに対応するＲＥにマッピングして送信した後、ＲＩ情報を含む情報部分以外のエンコードされたＣＳＩ情報の残りのＣＳＩ情報部分を決定し、
および、前記残りのＣＳＩ情報部分前記時間・周波数リソース内の前記マッピングシンボル集合に含まれるＯＦＤＭシンボル以外の他のＯＦＤＭシンボルに対応するＲＥにマッピングして送信する。
【０１１４】
任意選択で、前記受信モジュール５１はさらに、前記端末が前記ＣＳＩ情報をエンコードする前に、前記基地局によって送信されたＣＳＩフィードバック構成情報を取得し、前記ＣＳＩフィードバック構成情報は、システムによって構成された、前記端末による前記ＣＳＩ情報の報告に使用されるフィードバックモードを示し、前記ＣＳＩフィードバック構成情報、およびフィードバックモードとアップリンクチャネル間の対応関係に従って、前記ＣＳＩ情報によって使用されるアップリンクチャネルを決定する。
【０１１５】
前記処理モジュール５３は、前記受信モジュール５１により決定されたフィードバックモード、およびフィードバックモードとエンコードモード間の対応関係に従って、前記ＣＳＩ情報をエンコードし、前記エンコードモードは、全体エンコードモードおよび分割エンコードモードを含む。
【０１１６】
第６の実施形態
図１０に示すように、本出願の一実施形態は、図６に示すＣＳＩ情報を受信する方法を実行するために使用できる基地局を提供する。基地局は、送信モジュール６１、受信モジュール６２、および処理モジュール６３を備える。
【０１１７】
送信モジュール６１は、端末にアップリンクチャネルリソース構成シグナリングおよび/または復調基準信号（ＤＭＲＳ）構成シグナリングを送信し、前記ＤＭＲＳ構成シグナリングは、システムによりアップリンクチャネルに対して構成したＤＭＲＳの数、および前記アップリンクチャネル搬送用の時間・周波数リソース内の各ＤＭＲＳによって占有される直交周波数分割多重ＯＦＤＭシンボルの時間・周波数位置を示すために使用され、前記アップリンクチャネルリソース構成シグナリングは、アップリンクチャネルによって占有される時間・周波数リソースを示すために使用される。
【０１１８】
受信モジュール６２は、前記端末によってフィードバックされた、エンコードされたチャネル状態情報ＣＳＩを受信し、前記エンコードされたＣＳＩ情報に含まれるランクインデックス（ＲＩ）情報を取得し、前記エンコードされたＣＳＩ情報内のＲＩ情報を含む情報部分は、マッピングシンボル集合内の少なくとも１つのＯＦＤＭシンボルに対応するＲＥにマッピングされ、前記マッピングシンボル集合は、前記アップリンクチャネル搬送用の時間・周波数リソース内の、前記ＤＭＲＳに占有されるＯＦＤＭシンボルに隣接するＯＦＤＭシンボルの集合である。
【０１１９】
処理モジュール６３は、前記ＲＩ情報に従って前記エンコードされたＣＳＩ情報をデコードする。
【０１２０】
任意選択で、前記受信モジュール６２が前記端末によってフィードバックされた、エンコードされたチャネル状態情報ＣＳＩを受信し、前記エンコードされたＣＳＩ情報に含まれるランクインデックス（ＲＩ）情報を取得する前、前記プロセッサ６３はさらに、前記端末にＣＳＩ情報を報告するように指示するのに使用されるフィードバックモードのＣＳＩフィードバック構成情報を構成する。 
【０１２１】
前記送信モジュール６１は、前記ＣＳＩフィードバック構成情報を前記端末に送信する。
【０１２２】
第７の実施形態
本出願の一実施形態は、図１１に示すように、プロセッサ７１、メモリ７２、および送受信機７３を備えるコンピュータ装置をさらに提供する。ここで、プロセッサ７１、メモリ７２、および送受信機７３の間は、バスによって接続され得、送受信機７３は、プロセッサ７１の制御下でデータ（例えば、ＣＳＩ情報などを送受信）を送受信する。メモリ７２は所定のプログラムをその中に記憶し、プロセッサ７１は、メモリ７２に格納されたコンピュータプログラムを実行するときの本出願の第１および第２の実施形態の方法のステップを実施するように構成される。
【０１２３】
任意選択で、プロセッサ７１は、具体的には、中央プロセッサ、特定用途向け集積回路（Ａｐｐｌｉｃａｔｉｏｎ Ｓｐｅｃｉｆｉｃ Ｉｎｔｅｇｒａｔｅｄ Ｃｉｒｃｕｉｔ，ＡＳＩＣ）、プログラム実行を制御するための１つ以上の集積回路、フィールドプログラマブルゲートアレイ（Ｆｉｅｌｄ Ｐｒｏｇｒａｍｍａｂｌｅ Ｇａｔｅ Ａｒｒａｙ，ＦＰＧＡ）を使用することによって開発されたハードウェア回路、ベースバンドプロセッサであってもよい。
【０１２４】
任意選択で、プロセッサ７１は少なくとも１つの処理コアを含むことができる。
【０１２５】
任意選択で、電子デバイスのメモリ７２は、読み取り専用メモリ（Ｒｅａｄ Ｏｎｌｙ Ｍｅｍｏｒｙ，ＲＯＭ）、ランダムアクセスメモリ（Ｒａｎｄｏｍ Ａｃｃｅｓｓ Ｍｅｍｏｒｙ，ＲＡＭ）、および磁気ディスクメモリを含むことができる。メモリ７２は、実行中にプロセッサ７１が必要とするデータを格納するように構成される。メモリ７２の数は１つ以上である。
【０１２６】
第８の実施形態
本出願の実施形態は、コンピュータで実行されるときに、コンピュータに本出願の第１の実施形態で提供されるパイロット構成方法および第２の実施形態のチャネル測定方法のステップを実行させるコンピュータ命令を格納するコンピュータ可読記憶媒体を提供する。
【０１２７】
本出願の実施形態では、開示されたネットワークトラフィック監視方法およびネットワークトラフィック監視システムは、他の方法で実装され得ることを理解されたい。たとえば、上記のデバイスの実施形態は概略的なものにすぎず、たとえば、ユニットの分割は単に論理的な機能の分割にすぎない。実際の実装では、他の分割方法がある場合がある。たとえば、複数のユニットまたはコンポーネントを別のシステムに結合または統合したり、一部の機能を無視したり実行しないことがある。さらに、表示または説明された相互結合または直接結合または通信接続は、一部のインターフェース、デバイスまたはユニット間の間接結合または通信接続を通じて実装でき、電気的または他の形式でもよい。
【０１２８】
本出願の実施形態では、様々な機能ユニットが１つの処理ユニットに統合されてもよく、または様々なユニットが独立した物理モジュールであってもよい。
【０１２９】
統合ユニットがソフトウェア機能ユニットの形態で実装され、独立した製品として販売または使用される場合、統合ユニットはコンピュータ可読記憶媒体に格納されてもよい。そのような理解に基づいて、本出願の実施形態の技術的解決策のすべてまたは一部は、ソフトウェア製品の形態で具現化され得る。コンピュータソフトウェア製品は、記憶媒体に保存され、コンピュータデバイス（たとえば、パーソナルコンピュータ、サーバ、ネットワークデバイスなど）またはプロセッサが本出願の様々な実施形態の方法のステップのすべてまたは一部を実行できるようにするために使用されるいくつかの命令を含む。上記の記憶媒体には、ユニバーサルシリアルバスフラッシュドライブ（Ｕｎｉｖｅｒｓａｌ Ｓｅｒｉａｌ Ｂｕｓ ｆｌａｓｈ ｄｒｉｖｅ，ＵＳＢ）、モバイルハードディスク、読み取り専用メモリ（Ｒｅａｄ−Ｏｎｌｙ Ｍｅｍｏｒｙ，ＲＯＭ）、ランダムアクセスメモリ（Ｒａｎｄｏｍ Ａｃｃｅｓｓ Ｍｅｍｏｒｙ，ＲＡＭ）、磁気ディスクまたはコンパクトディスク、またはプログラムコードを格納できるさまざまなメディアが含まれる。
【０１３０】
本分野の技術者として、本発明の実施形態が、方法、システムまたはコンピュータプログラム製品を提供できるため、本発明は完全なハードウェア実施形態、完全なソフトウェア実施形態、またはソフトウェアとハードウェアの両方を結合した実施形態を採用できることがわかるはずである。さらに、本発明は、一つまたは複数のコンピュータプログラム製品の形式を採用できる。当該製品はコンピュータ使用可能なプログラムコードを含むコンピュータ使用可能な記憶媒体（ディスク記憶装置、ＣＤ-ＲＯＭ、光学記憶装置等を含むがそれとは限らない）において実施する。
【０１３１】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、または他のプログラム可能なデータ処理装置設備の処理装置器に提供でき、コンピュータまたは他のプログラム可能なデータ処理装置のプロセッサは、これらのコンピュータプログラム指令を実行し、フロー図における一つまたは複数のフローおよび／またはブロック図における一つまたは複数のブロックに指定する機能を実現する。
【０１３２】
これらのコンピュータプログラム指令は、又、コンピュータまたは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つまたは複数のフローおよび／またはブロック図における一つまたは複数のブロックに指定する機能を実現する。
【０１３３】
これらコンピュータプログラム指令はさらに、コンピュータまたは他のプログラム可能なデータ処理装置設備に実装もできる。コンピュータプログラム指令が実装されたコンピュータまたは他のプログラム可能設備は、一連の操作ステップを実行することによって、関連の処理を実現し、コンピュータまたは他のプログラム可能な設備において実行される指令によって、フロー図における一つまたは複数のフローおよび／またはブロック図における一つまたは複数のブロックに指定する機能を実現する。
【０１３４】
上述した実施形態に記述された技術的な解決手段を改造し、またはその中の一部の技術要素を置換することもできる。そのような、改造と置換は本発明の各実施形態の技術の範囲から逸脱するとは見なされない。
【０１３５】
無論、当業者によって、上述した実施形態に記述された技術的な解決手段を改造し、またはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０１３６】
31  受信機
32  送信機
33  プロセッサ
34  メモリ
41  送信機
42  受信機
43  プロセッサ
44  メモリ
51  受信モジュール
52  測定モジュール
53  処理モジュール
61  送信モジュール
62  受信モジュール
63  処理モジュール
71  プロセッサ
72  メモリ
73  送受信機
【図１】
2020533882.tif 000003
【図２】
2020533882.tif 000004
【図３】
2020533882.tif 000005
【図４Ａ】
2020533882.tif 000006
【図４Ｂ】
2020533882.tif 000007
【図４Ｃ】
2020533882.tif 000008
【図５Ａ】
2020533882.tif 000009
【図５Ｂ】
2020533882.tif 000010
【図５Ｃ】
2020533882.tif 000011
【図６】
2020533882.tif 000012
【図７】
2020533882.tif 000013
【図８】
2020533882.tif 000014
【図９】
2020533882.tif 000015
【図１０】
2020533882.tif 000016
【図１１】
2020533882.tif 000017
【手続補正書】
【提出日】令和2年3月9日(2020.3.9)
【手続補正１】
【補正対象書類名】特許請求の範囲
【補正対象項目名】全文
【補正方法】変更
【補正の内容】
【特許請求の範囲】
【請求項１】
端末は、基地局によって送信されたアップリンクチャネルリソース構成シグナリングおよび/または復調基準信号（ＤＭＲＳ）構成シグナリングを受信し、前記アップリンクチャネルリソース構成シグナリングおよび/またはＤＭＲＳ構成シグナリングに従って、マッピングシンボル集合を決定し、
前記端末は、ダウンリンクチャネルを測定し、測定結果に従ってチャネル状態情報（ＣＳＩ）を計算するステップと、
前記端末は、前記ＣＳＩ情報をエンコードし、エンコードされたＣＳＩ情報にランクインデックス（ＲＩ）情報を含む情報部分を、前記マッピングシンボル集合内の少なくとも１つのＯＦＤＭシンボルに対応するリソース要素（ＲＥ）にマッピングして送信するステップとを備え、
前記ＤＭＲＳ構成シグナリングは、システムによりアップリンクチャネルに対して構成したＤＭＲＳの数、および前記アップリンクチャネル搬送用の時間・周波数リソース内の各ＤＭＲＳによって占有される直交周波数分割多重ＯＦＤＭシンボルの時間・周波数位置を示すために使用され、前記アップリンクチャネルリソース構成シグナリングは、アップリンクチャネルによって占有される時間・周波数リソースを示すために使用され、前記マッピングシンボル集合は、前記時間・周波数リソース内の前記ＯＦＤＭシンボルに隣接するＯＦＤＭシンボルの集合であることを特徴とするＣＳＩ情報報告方法。
【請求項２】
前記端末が、前記ＣＳＩ情報をエンコードし、エンコードされたＣＳＩ情報にランクインデックス（ＲＩ）情報を含む情報部分を前記マッピングシンボル集合内の少なくとも１つのＯＦＤＭシンボルに対応するＲＥにマッピングして送信した後、さらに、
前記端末は、前記マッピングシンボル集合にマッピングされていない残りのＯＦＤＭシンボルと、ＲＩ情報を含む情報部分以外のエンコードされたＣＳＩ情報の残りのＣＳＩ情報部分が存在すると決定し、
前記端末は、前記残りのＣＳＩ情報部分を前記残りのＯＦＤＭシンボルに対応するＲＥにマッピングして送信し、および/または、前記時間・周波数リソース内の前記マッピングシンボル集合に含まれるＯＦＤＭシンボル以外の他のＯＦＤＭシンボルに対応するＲＥにマッピングして送信することを特徴とする請求項１に記載のＣＳＩ情報報告方法。
【請求項３】
前記端末が、前記ＣＳＩ情報をエンコードし、エンコードされたＣＳＩ情報にランクインデックス（ＲＩ）情報を含む情報部分を前記マッピングシンボル集合内の少なくとも１つのＯＦＤＭシンボルに対応するＲＥにマッピングして送信した後、さらに、
前記端末は、ＲＩ情報を含む情報部分以外のエンコードされたＣＳＩ情報の残りのＣＳＩ情報部分を決定し、
前記端末は、前記残りのＣＳＩ情報部分を、前記時間・周波数リソース内の前記マッピングシンボル集合に含まれるＯＦＤＭシンボル以外の他のＯＦＤＭシンボルに対応するＲＥにマッピングして送信することを特徴とする請求項１に記載のＣＳＩ情報報告方法。
【請求項４】
前記端末が前記ＣＳＩ情報をエンコードする前に、さらに、
前記端末は、前記基地局によって送信されたＣＳＩフィードバック構成情報を取得し、前記ＣＳＩフィードバック構成情報は、システムによって構成された、前記端末による前記ＣＳＩ情報の報告に使用されるフィードバックモードを示し、
前記端末は、前記ＣＳＩフィードバック構成情報、およびフィードバックモードとアップリンクチャネル間の対応関係に従って、前記ＣＳＩ情報によって使用されるアップリンクチャネルを決定し、
前記端末は、前記ＣＳＩ情報をエンコードする場合、
前記端末決定されたフィードバックモード、およびフィードバックモードとエンコードモード間の対応関係に従って、前記ＣＳＩ情報をエンコードし、前記エンコードモードは、全体エンコードモードおよび分割エンコードモードを含むことを特徴とする請求項１から請求項３のいずれか一項に記載のＣＳＩ情報報告方法。
【請求項５】
基地局は、端末にアップリンクチャネルリソース構成シグナリングおよび/または復調基準信号（ＤＭＲＳ）構成シグナリングを送信するステップと、
前記基地局は、前記端末によってフィードバックされた、エンコードされたチャネル状態情報ＣＳＩを受信し、前記エンコードされたＣＳＩ情報に含まれるランクインデックス（ＲＩ）情報を取得するステップと、
前記基地局は、前記ＲＩ情報に従って前記エンコードされたＣＳＩ情報をデコードするステップとを備え、
前記ＤＭＲＳ構成シグナリングは、システムによりアップリンクチャネルに対して構成したＤＭＲＳの数、および前記アップリンクチャネル搬送用の時間・周波数リソース内の各ＤＭＲＳによって占有される直交周波数分割多重ＯＦＤＭシンボルの時間・周波数位置を示すために使用され、前記アップリンクチャネルリソース構成シグナリングは、アップリンクチャネルによって占有される時間・周波数リソースを示すために使用され、
前記エンコードされたＣＳＩ情報内のＲＩ情報を含む情報部分は、マッピングシンボル集合内の少なくとも１つのＯＦＤＭシンボルに対応するＲＥにマッピングされ、前記マッピングシンボル集合は、前記アップリンクチャネル搬送用の時間・周波数リソース内の、前記ＤＭＲＳに占有されるＯＦＤＭシンボルに隣接するＯＦＤＭシンボルの集合であることを特徴とするＣＳＩ情報を受信するための方法。
【請求項６】
前記基地局が、前記端末によってフィードバックされた、エンコードされたチャネル状態情報ＣＳＩを受信し、前記エンコードされたＣＳＩ情報に含まれるランクインデックス（ＲＩ）情報を取得する前に、さらに、
前記基地局は、前記端末にＣＳＩ情報を報告するように指示するのに使用されるフィードバックモードのＣＳＩフィードバック構成情報を構成し、
前記端末に、前記ＣＳＩフィードバック構成情報に従ってエンコードされたＣＳＩ情報をフィードバックするように、前記基地局は、前記ＣＳＩフィードバック構成情報を前記端末に送信することを特徴とする請求項５に記載のＣＳＩ情報を受信するための方法。
【請求項７】
基地局によって送信されたアップリンクチャネルリソース構成シグナリングおよび/または復調基準信号（ＤＭＲＳ）構成シグナリングを受信し、前記アップリンクチャネルリソース構成シグナリングおよび/または前記ＤＭＲＳ構成シグナリングに従って対応のマッピングシンボル集合を決定するように構成された受信モジュールと、
ダウンリンクチャネルを測定し、測定結果に従ってチャネル状態情報（ＣＳＩ）を計算するように構成された測定モジュールと、
前記ＣＳＩ情報をエンコードし、エンコードされたＣＳＩ情報にランクインデックス（ＲＩ）情報を含む情報部分を、前記マッピングシンボル集合内の少なくとも１つのＯＦＤＭシンボルに対応するリソース要素（ＲＥ）にマッピングして送信するように構成された処理モジュールとを備え、
前記ＤＭＲＳ構成シグナリングは、システムによりアップリンクチャネルに対して構成したＤＭＲＳの数、および前記アップリンクチャネル搬送用の時間・周波数リソース内の各ＤＭＲＳによって占有される直交周波数分割多重ＯＦＤＭシンボルの時間・周波数位置を示すために使用され、前記アップリンクチャネルリソース構成シグナリングは、アップリンクチャネルによって占有される時間・周波数リソースを示すために使用され、前記マッピングシンボル集合は、前記時間・周波数リソース内の前記ＯＦＤＭシンボルに隣接するＯＦＤＭシンボルの集合であることを特徴とする端末。
【請求項８】
前記処理モジュールはさらに、前記ＣＳＩ情報をエンコードし、エンコードされたＣＳＩ情報にランクインデックス（ＲＩ）情報を含む情報部分を前記マッピングシンボル集合内の少なくとも１つのＯＦＤＭシンボルに対応するＲＥにマッピングして送信した後に、前記マッピングシンボル集合にマッピングされていない残りのＯＦＤＭシンボルと、ＲＩ情報を含む情報部分以外のエンコードされたＣＳＩ情報の残りのＣＳＩ情報部分が存在すると決定し、前記残りのＣＳＩ情報部分を、前記残りのＯＦＤＭシンボルに対応するＲＥにマッピングして送信し、および/または、前記時間・周波数リソース内の前記マッピングシンボル集合に含まれるＯＦＤＭシンボル以外の他のＯＦＤＭシンボルに対応するＲＥにマッピングすることを特徴とする請求項７に記載の端末。
【請求項９】
前記処理モジュールは、前記ＣＳＩ情報をエンコードし、エンコードされたＣＳＩ情報にランクインデックス（ＲＩ）情報を含む情報部分を前記マッピングシンボル集合内の少なくとも１つのＯＦＤＭシンボルに対応するＲＥにマッピングして送信した後に、ＲＩ情報を含む情報部分以外のエンコードされたＣＳＩ情報の残りのＣＳＩ情報部分を決定し、前記残りのＣＳＩ情報部分を、前記時間・周波数リソース内の前記マッピングシンボル集合に含まれるＯＦＤＭシンボル以外の他のＯＦＤＭシンボルに対応するＲＥにマッピングして送信することを特徴とする請求項７に記載の端末。
【請求項１０】
プロセッサが前記ＣＳＩ情報をエンコードする前に、前記受信モジュールは、前記基地局によって送信されたＣＳＩフィードバック構成情報を取得し、前記ＣＳＩフィードバック構成情報は、システムによって構成された、前記端末による前記ＣＳＩ情報の報告に使用されるフィードバックモードを示し、前記ＣＳＩフィードバック構成情報、およびフィードバックモードとアップリンクチャネル間の対応関係に従って、前記ＣＳＩ情報によって使用されるアップリンクチャネルを決定し、
前記処理モジュールはさらに、決定されたフィードバックモード、およびフィードバックモードとエンコードモード間の対応関係に従って、前記ＣＳＩ情報をエンコードし、前記エンコードモードは、全体エンコードモードおよび分割エンコードモードを含むことを特徴とする請求項７から請求項９のいずれか一項に記載の端末。
【請求項１１】
端末にアップリンクチャネルリソース構成シグナリングおよび/または復調基準信号（ＤＭＲＳ）構成シグナリングを送信するように構成された送信モジュールと、
前記端末によってフィードバックされた、エンコードされたチャネル状態情報ＣＳＩを受信し、前記エンコードされたＣＳＩ情報に含まれるランクインデックス（ＲＩ）情報を取得するように構成された受信モジュールと、
前記エンコードされたＣＳＩ情報をデコードするように構成された処理モジュールとを備え、
前記ＤＭＲＳ構成シグナリングは、システムによりアップリンクチャネルに対して構成したＤＭＲＳの数、および前記アップリンクチャネル搬送用の時間・周波数リソース内の各ＤＭＲＳによって占有される直交周波数分割多重ＯＦＤＭシンボルの時間・周波数位置を示すために使用され、前記アップリンクチャネルリソース構成シグナリングは、アップリンクチャネルによって占有される時間・周波数リソースを示すために使用され、
前記エンコードされたＣＳＩ情報内のＲＩ情報を含む情報部分は、マッピングシンボル集合内の少なくとも１つのＯＦＤＭシンボルに対応するＲＥにマッピングされ、前記マッピングシンボル集合は、前記アップリンクチャネル搬送用の時間・周波数リソース内の、前記ＤＭＲＳに占有されるＯＦＤＭシンボルに隣接するＯＦＤＭシンボルの集合であることを特徴とする基地局。
【請求項１２】
前記受信モジュールが、前記端末によってフィードバックされた、エンコードされたチャネル状態情報ＣＳＩを受信し、前記エンコードされたＣＳＩ情報に含まれるランクインデックス（ＲＩ）情報を取得する前に、
前記処理モジュールは、前記端末にＣＳＩ情報を報告するように指示するのに使用されるフィードバックモードのＣＳＩフィードバック構成情報を構成し、
前記送信モジュールは、前記ＣＳＩフィードバック構成情報を端末に送信する
ことを特徴とする請求項１１に記載の基地局。
【国際調査報告】
2020533882.tif 000018
2020533882.tif 000019
2020533882.tif 000020
2020533882.tif 000021